(57)【要約】延在部を具える、机又は他の水平面のためのオーガナイザの１の実施例は、延在部に取り付けるための、クランプ部材とカバー部材とを具える細長い基部アセンブリと、クランプ部材を面に取り付けるため、及びカバー部材をクランプ部材に取り付けるための少なくとも１の固定具と、カバー部材に取り付けられるように構成された一対の垂直支持部であって、複数の穴を具える各垂直支持部と、一方の垂直支持部の溝穴から他方の垂直支持部の対応する穴へ延在するロッドを支持する複数の水平付属品とを具える。【選択図】図１
2009513394.tif 000002
【特許請求の範囲】
【請求項１】
延在部を具える面用のオーガナイザにおいて：
延在部に取り付けるための、クランプ部材とカバー部材とを具える細長い基部アセンブリと；
前記クランプ部材を前記面に取り付けるため、及び前記カバー部材を前記クランプ部材に取り付けるための少なくとも１の固定具と；
それぞれが複数の穴を有し、前記カバー部材に取り付けられるように構成された一対の垂直支持部と；
一方の前記垂直支持部の前記穴から他方の前記垂直支持部の対応する穴へ延在するロッドを支持する複数の水平付属品と；
を具えることを特徴とするオーガナイザ。
【請求項２】
請求項１に記載のオーガナイザがさらに、前記垂直支持部に対して前記ロッドを保持するための複数の保持クリップと、前記ロッドのうちの１本から前記付属品を吊すための一対のフックを具える少なくとも１の整理アクセサリとを具え、前記延在部が机の上にあることを特徴とするオーガナイザ。
【請求項３】
請求項２に記載のオーガナイザにおいて、前記ロッドが、前記保持クリップの１つと合うための少なくとも１の溝を具えることを特徴とするオーガナイザ。
【請求項４】
請求項１に記載のオーガナイザにおいて、前記クランプ部材が、少なくとも２個の穴を有する上側部と、当該クランプ部材にある各穴で前記上側部の底側に接合されるナットとを具えることを特徴とするオーガナイザ。
【請求項５】
請求項４に記載のオーガナイザにおいて、前記固定具が、ねじ山部と基部を有する一対のボルトを具え、各ボルトの前記ねじ山部が、前記クランプ部材に接合された前記ナットの１に螺合することを特徴とするオーガナイザ。
【請求項６】
請求項５に記載のオーガナイザにおいて、各前記ボルトの前記ねじ山部が、溝穴付上端部を具えることを特徴とするオーガナイザ。
【請求項７】
請求項６に記載のオーガナイザにおいて、各前記溝穴付上端部が、前記カバー部材の対応する穴を通って延在し、前記カバー部材を前記クランプ部材に保持するためナットに結合することを特徴とするオーガナイザ。
【請求項８】
請求項７に記載のオーガナイザにおいて、各前記溝穴付上端部が、前記垂直支持部の１つの水平タブにある細長い穴を通って延在し、前記カバー部材に対して前記垂直支持部を保持するため、前記ナットに結合することを特徴とするオーガナイザ。
【請求項９】
請求項１に記載のオーガナイザにおいて、前記ロッドの長さが約１２インチであることを特徴とするオーガナイザ。
【請求項１０】
請求項１に記載のオーガナイザにおいて、前記ロッドの長さが約２４インチであることを特徴とするオーガナイザ。
【請求項１１】
請求項１０に記載のオーガナイザがさらに、前記ロッドを支持するための複数の穴を有する中央垂直支持部を具えることを特徴とするオーガナイザ。
【請求項１２】
請求項１に記載のオーガナイザにおいて、前記各フックの一部が１のロッドから他のロッドへ延在することを特徴とするオーガナイザ。
【請求項１３】
請求項１に記載のオーガナイザにおいて、前記付属品が、前記垂直支持部の一方から、前記垂直支持部の他方へ延在することを特徴とするオーガナイザ。
【請求項１４】
請求項１に記載のオーガナイザにおいて、前記付属品が、カップの取っ手用の開いた溝穴を具えるカップホルダであることを特徴とするオーガナイザ。
【請求項１５】
延在する机上部を具える机用のオーガナイザにおいて：
細長い基部部材と；
前記細長い基部部材を前記延在する机上部に取り付けるための少なくとも１の固定具と；
前記基部部材に取り付けられるように構成された一対の垂直支持部と；
前記垂直支持部に取り付けられる複数のロッドと；
前記ロッドの１つから付属品を吊すための一対のフックを具える少なくとも１の整理アクセサリと；
を具えることを特徴とするオーガナイザ。
【請求項１６】
請求項１５に記載のオーガナイザにおいて、各垂直支持部が、複数の穴を具え、前記ロッドが一方の前記垂直支持部の前記穴から他方の前記垂直支持部の前記対応する穴へ延在することを特徴とするオーガナイザ。
【請求項１７】
請求項１６に記載のオーガナイザがさらに、前記垂直支持部に対して前記ロッドを保持するための複数の保持クリップを具えることを特徴とするオーガナイザ。
【請求項１８】
請求項１７に記載のオーガナイザにおいて、前記ロッドが、前記保持クリップの１つと合うための少なくとも１の溝を具えることを特徴とするオーガナイザ。
【請求項１９】
請求項１５に記載のオーガナイザにおいて、前記基部部材が、少なくとも２個の穴を有する上側部と、前記基部部材にある各穴で前記上側部の底側に接合されるナットとを具えることを特徴とするオーガナイザ。
【請求項２０】
請求項１９に記載のオーガナイザにおいて、前記固定具が、ねじ山部と基部を有する一対のボルトを具え、各昇降ボルトの前記ねじ山部が、前記基部部材に接合された前記ナットの１に螺合することを特徴とするオーガナイザ。
【請求項２１】
請求項２０に記載のオーガナイザにおいて、各前記ボルトの前記ねじ山部が、溝穴付上端部を具えることを特徴とするオーガナイザ。
【請求項２２】
請求項２１に記載のオーガナイザにおいて、各前記溝穴付上端部が、前記垂直支持部の１の水平タブにある細長い穴を通って延在し、前記基部部材に対して前記垂直支持部を保持すべく、ナットに螺合することを特徴とするオーガナイザ。
【請求項２３】
請求項１５に記載のオーガナイザにおいて、前記ロッドの長さが約１２インチであることを特徴とするオーガナイザ。
【請求項２４】
請求項１５に記載のオーガナイザにおいて、前記ロッドの長さが約２４インチであることを特徴とするオーガナイザ。
【請求項２５】
請求項２４に記載のオーガナイザがさらに、前記ロッドを支持するための複数の穴を有する中央垂直支持部を具えることを特徴とするオーガナイザ。
【請求項２６】
延在部を具える面用のオーガナイザにおいて：
前記延在部に取り付けられるように構成された一対の垂直支持部と；
前記垂直支持部に取り付けられる複数のロッドと；
前記ロッドの１つから付属品を吊すための一対のフックを具える少なくとも１の整理アクセサリと；
を具えることを特徴とするオーガナイザ。
【請求項２７】
請求項２６に記載のオーガナイザにおいて、各垂直支持部が、複数の穴を具え、前記ロッドが一方の前記垂直支持部の前記穴から他方の前記垂直支持部の前記対応する穴へ延在することを特徴とするオーガナイザ。
【請求項２８】
請求項２６に記載のオーガナイザがさらに、前記垂直支持部を前記延在する机上部に取り付けるための少なくとも１の基部部材を具えることを特徴とするオーガナイザ。
【請求項２９】
オーガナイザのための付属品において：
カップの取っ手用の開口を具える円筒体と；
前記円筒体を前記オーガナイザに取り付けるために、前記円筒体に取り付けられる取り付け具と；
を具えることを特徴とする付属品。
【発明の詳細な説明】
【技術分野】
【０００１】
本発明は、一般に、卓上オーガナイザに関するものであり、特に、机に取り付けられて、普段は、机に散乱している多くの物を保持できる卓上オーガナイザに関する。
【０００２】
関連出願
この出願は、２００５年１０月２５日に出願されたＤＥＳＫＴＯＰ  ＯＲＧＡＮＩＺＥＲと題する、米国暫定特許出願の出願番号６０／７３０，２１４の優先権を主張する。
【背景技術】
【０００３】
このセクションは、本発明に関する実施例の背景を記載している。このセクションに記載された背景技術は、法的に従来技術を構成することを表すもしくは示唆することを意図するものではない。
【０００４】
多くの人は、多くの物が散らかっている机で仕事をしており、作業空間は非常に狭い。机の上には、コンピュータモニタ、キーボード、マウス、他のコンピュータに関する道具、電話機、出し入れ用バスケット、本、ファイル、ノート、ペン、鉛筆、ステープラ、他の事務用品などがある。いくつかの卓上オーガナイザは、いくつかのこれらの道具を置く場所を提供するが、これらは机上にあり、貴重な作業空間を使ってしまう。他のオーガナイザは、壁に取り付けられるが、全ての机が、オーガナイザにとって適切な壁に十分近く設置されているわけではない。
【０００５】
いくつかの卓上オーガナイザは、机上に取り付けられ、机上に収納場所を提供する。これらの一部のオーガナイザは、机上にこれらを取り付けるために、机上に穴を空ける又は、ねじを中へ打ち込むなど、机上に傷をつけることを必要とする。他のオーガナイザは、オーガナイジングデバイスを支持するため、机上の突出部で締め付ける一対の脚を具える。これらのオーガナイザは、この支持方法によって、これらの上に収納される物の量をかなり制限してしまう。
【０００６】
本発明の特徴及びこれらを達成するための手段は、添付した図面と併せて、本発明のある実施形態に関する以下の記述を参照することによって、明らかになり、この発明自体、最も良く理解される。
【０００７】
本発明の実施の形態
ここの図面に一般に記載し、説明されている実施例の構成部品は、様々な異なる構造に配置及び設計できるということは、すぐに理解されうる。このように、図面に示されている、本発明のシステム、構成部品及び方法の実施例についての以下のより詳細な説明は、主張されている本発明の範囲の限定を意図するものではなく、単に本発明の代表的な一実施例である。
【０００８】
延在部を具える机又は他の水平面のためのオーガナイザの１の実施例は、延在部に取り付けるための、クランプ部材とカバー部材とを具える細長い基部アセンブリと、クランプ部材を前記面に取り付けてカバー部材をクランプ部材に取り付けるための少なくとも１の固定具と、カバー部材に取り付けられるように構成された一対の垂直支持部であって、複数の穴を具える各垂直支持部と、一方の垂直支持部の溝穴から他方の垂直支持部の対応する穴へ延在するロッドを支持する複数の水平付属品とを具える。
【０００９】
本発明の別の実施例によると、延在する机上部を具える机用のオーガナイザが提供される。このオーガナイザは、細長い基部部材と、細長い基部部材を延在する机上部に取り付けるための少なくとも１の固定具と、基部部材に取り付けられるように構成された一対の垂直支持部と、垂直支持部に取り付けられる複数のロッドと、ロッドのうちの１本から付属品を吊すための一対のフックを具える少なくとも１の整理アクセサリとを具える。
【００１０】
さらに、本発明の別の実施例によると、延在部を具える面用のオーガナイザが提供される。このオーガナイザは、延在する机上部に取り付けられるように構成された一対の垂直支持部と、垂直支持部に取り付けられる複数のロッドと、ロッドのうちの１本から付属品を吊すための一対のフックを具える少なくとも１の整理アクセサリとを具える。
【００１１】
ここに図１を参照すると、本発明の１の実施例にかかる卓上オーガナイザの斜視図が示されている。卓上オーガナイザ１０は、机の上１１に取り付けられる基部アセンブリ１２を具える。基部アセンブリ１２は、一対の端部垂直支持部１６と中央垂直支持部１８を支持する。
【００１２】
図５に示されるように、端部垂直支持部１６は、複数の均等に間隔を空けた穴５６と、オフセット部材５８と、細長い穴６３を具える水平タブ６１とを具える垂直部材５４を具える。図６に示されるように、中央垂直支持部は、複数の均等に間隔を空けた穴６７と、フック部７２を有する基部６９とを具える垂直部材６５を具える。
【００１３】
端部垂直支持部１６及び中央垂直支持部１８は、整理アクセサリを取り付けるための複数の平行ロッド２１を支持する。ロッド２１は、それぞれ端部垂直支持部１６及び中央垂直支持部１８に対応する穴５６と６７を通して設置され、複数の保持クリップ２３によって、端部垂直支持部１８に固定される。整理アクセサリには、棚２４や、カップ２６を保持するためのカップホルダが含まれる。他の様々な整理アクセサリには、手紙ホルダ、ファイル分類具、本／雑誌ホルダ、バスケット、整理バスケット、ＣＤホルダ、ペンホルダが含まれてもよいが、これらに限定されるものではない。
【００１４】
卓上オーガナイザの全体の長さ及び使用する付属品（すなわち、支持される重量）によっては、中央垂直支持部は不要としてもよい。卓上オーガナイザの長さは、１フィートより短い長さから、２フィートより長くまで変化してもよい。複数の卓上オーガナイザを併用して、収納力を増やしてもよい。卓上オーガナイザは、机の上だけではなく、さらに収納が望まれる様々な他の水平面にも使用できる。
【００１５】
ここで、図２を参照すると、基部アセンブリ１２の分解図が示されている。基部アセンブリ１２は、机に取り付けられるクランプ部材２７と、机の上でクランプ部材２７に取り付けられるカバー部材とを具える。クランプ部材２７は、上側水平部２８と下側水平部３０とを具える。エーコンナット又は他の好適なナットなどのナット４１を使用して、クランプ部材２７が机に取り付けられて、カバー部材１４がクランプ部材２７に取り付けられるように、昇降ボルト２９と３１が、それぞれ、クランプ部材２７の上側水平部２８にある穴３２と３４及びカバー部材１４にある穴３６と３８のそれぞれを通って延在する。大きく平坦な底面を具える他のボルトを、昇降ボルトの代わりに使用してもよい。カバー部材１４は、さらに、端部垂直支持部の一部を挿入するための開口４３と４５を具える。
【００１６】
ここで図３及び図４を参照すると、図１の基部アセンブリ１２の断面図が示されている。クランプ部材２７は、ねじ山部７４、基部７６及び溝穴付端部７６（図９）を具える昇降ボルト２９を使用して、机の上１１の延在部１３に取り付けられる。ナット４９は、昇降ボルト２９のねじ山部７４に螺合して穴３２周りの上側水平部２８の底側に溶接され、机の上１１の延在部１３に基部７６を締め付けてもよい。
【００１７】
溝穴付端部を具える昇降ボルト２９の上側部は、カバー部材１４の穴３６及び端部垂直支持部５４の水平タブ６１にある細長い穴６３（図５）を通って延在する。ナット４１は、クランプ部材２７に対してカバー部材１４及び端部垂直支持部５４を固定する。
【００１８】
カバー部材１４の前部４６は、ペン、鉛筆又は他の小さいデスク用品を収納するのに好適な部分を具えており、卓上オーガナイザがかなりの荷重を保持する場合に、前方へ傾くことを防ぐさらなる支持を提供する。カバー部材１４の後部４７は、机の上１１の上端部よりさらに下に延在し、クランプ部材２７のかなりの部分を隠す。カバー部材１４の後部に沿った延在リップ５１は、中央垂直支持部１８のフック部７２に合う。後部４７は、部分４７を机の上１１に固定するねじや、他の固定具（図示せず）を受けるために少なくとも１の穴又は開口４８を具える。この場合、選択的に、クランプ部材を設けなくてもよい。
【００１９】
端部垂直支持部１６のオフセット部材５８は、カバー部材１４の開口４３を通して挿入され、水平タブ６１がカバー部材１４の上端部近くに、昇降ボルトが水平タブ６１の細長い穴６３を通って延在した状態で、配置される。オフセット部材５８は、カバー部材の開いた側部を覆い、クランプ部材２７及び昇降ボルト２９を少なくとも部分的に隠す。
【００２０】
ロッド２１のうちの１本は、端部支持ロッド１６の垂直部材５４の穴５６の１つに挿入される。ロッド２１は、保持クリップ２３のうちの１つの側部８７と８９で、垂直部材５４に対して固定される。図７に示されるように、ロッド２１の各端部８１は、一対の溝８３と８５を具える。図８に示されるように、溝８３と８５は、それぞれ、保持クリップ２３の側部８７と８９の溝穴９２と９４に係合する。
【００２１】
ここで、図１０を参照すると、１の整理アクセサリの斜視図が示されている。図１に示されるように、カップホルダ付属品２５は、取っ手を具えるカップに適応できるように、カップ取っ手開口９７を具える円筒体９６を具える。一対のフック９８が円筒体９６の後部に取り付けられており、卓上オーガナイザ１０のロッド２１の１つにこのカップホルダ付属品２５を取り付けることができる。
【００２２】
各整理アクセサリは、一対のフックを具える。付属品の幅が、隣接する垂直支持部の間の距離よりも小さい場合（すなわち、図１のカップホルダ付属品２５）、フックは、それぞれ、付属品を真っ直ぐな状態に保持するために２つの隣接する水平ロッド間の距離よりも長い垂直ロッド部９９を具える。代替的に、フックとは別の少なくとも１の垂直部材（図示せず）を、フック部９９と同じ機能を果たすために用いてもよい。付属品の幅が、隣接する垂直支持部の間の距離よりも大きい場合（すなわち、図１の棚付属品２４）、フックの長さは、２つの隣接するロッド間の距離よりも小さくしてもよく、垂直支持部は付属品を真っ直ぐな状態に保持することができる。
【００２３】
卓上オーガナイザを設置するため、クランプ部材は、机の上の様々な延在部の周りに配置できる。クランプ部材の下側水平部材と昇降ボルトの基部の間で机の上を確実に締め付けるため、溝穴付の上端部にねじ回しを使用して、昇降ボルトの基部を下げることができる。カバー部材は、それから、カバー部材にある穴を通って延在する昇降ボルトの溝穴付の上端部でクランプ部材の上に設置される。
【００２４】
端部垂直支持部のオフセット部材５８は、次に、カバー部材の開口を通って挿入され、これにより、オフセット部材が、カバー部材の開いた側部を覆うとともに、水平タブは、溝穴付上端部が水平タブにある細長い穴を通って延在した状態で、カバー部材の上端部近くに配置される。ナットを昇降ボルトの各延在上端部に使用して、カバー部材及び端部垂直支持部をクランプ部材に対して固定する。例えば、卓上オーガナイザの長さがおよそ２４インチである場合、中央垂直支持部が、カバー部材の後部のリップ及び中央垂直支持部のフック部を使用してカバー部材に取り付けられる。
【００２５】
次に、複数のロッドが、垂直支持部の均等に間隔を空けた穴を通して配置される。一対の溝を具えるロッドの端部は、強く確実な連結を達成すべく、複数の保持クリップ、又はナットを使用するねじ山端部を具えるロッドなど、好適な方法を用いて端部垂直支持部に固定される。ロッドは、また、溶接や、他の適切な取り付け方法によって垂直支持部に対して取り外しができないように具えられてもよい。ここで、所望される整理アクセサリは、平行垂直ロッドに取り付けられてもよい。
【００２６】
上述した実施形態において、頑丈な基部と頑丈な垂直支持部は、より重い荷重を卓上オーガナイザに設置することができるという利点を与える。このオーガナイザの棚は、組み立てられて試験された実際のモデルでは、２０ポンド又はそれ以上を保持できる。
【００２７】
本発明の特定の実施例が開示されているが、様々な異なる改良及び組み合わせが、開示された実施例の範囲と意図内で可能であり、予期されることを理解できる。それゆえ、ここに完全に記述された開示は、限定する意図ではない。
【図面の簡単な説明】
【００２８】
【図１】図１は、机上に取り付けられた本発明の卓上オーガナイザの１の実施例の斜視図である；
【図２】図２は、図１の卓上オーガナイザの基部アセンブリの分解図である；
【図３】図３は、図１のライン３−３による基部アセンブリの断面図である；
【図４】図４は、図１のライン４−４による基部アセンブリの断面図である；
【図５】図５は、図１の卓上オーガナイザの端部垂直支持部の斜視図である；
【図６】図６は、図１の卓上オーガナイザの中央垂直支持部の斜視図である；
【図７】図７は、図１の卓上オーガナイザのロッドのうちの１の部分拡大図である；
【図８】図８は、図１の卓上オーガナイザの端部垂直支持部にロッドを保持するために使用するクリップのうちの１の斜視図である；
【図９】図９は、図２の基部アセンブリの昇降ボルトの斜視図である；
【図１０】図１０は、図１に示されたカップ支持部の斜視図である。
【図１】
2009513394.tif 000003
【図２】
2009513394.tif 000004
【図３】
2009513394.tif 000005
【図４】
2009513394.tif 000006
【図５】
2009513394.tif 000007
【図６】
2009513394.tif 000008
【図７】
2009513394.tif 000009
【図８】
2009513394.tif 000010
【図９】
2009513394.tif 000011
【図１０】
2009513394.tif 000012
【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
延在部を具える面用のオーガナイザにおいて：
延在部の縁部に取り付けるための、細長いクランプ部材と細長いカバー部材とを具える細長い基部アセンブリを具え；
前記クランプ部材が、対向する両端部に少なくとも２個の穴を有する上側部と、前記クランプ部材の各穴で前記上側部の底側に接合されたナットとを具え；
前記カバー部材が、前記オーガナイザが大きな荷重を保持する場合に、前方へ傾くことを防ぐ追加の支持を提供すべく前記クランプ部材から離れるように延在する前部を具え；
前記クランプ部材を前記面に取り付けるため、及び前記カバー部材を前記クランプ部材に取り付けるための少なくとも１の固定具であって、一対のボルトを具え、各ボルトは、ねじ山部と基部を有しており、各ボルトの前記ねじ山部は前記クランプ部材に接合された前記ナットの１に螺合し、各ボルトの前記基部は前記延在部に当接するように構成されている固定具と；
それぞれが複数の穴を有し、前記カバー部材に取り付けられるように構成された一対の垂直支持部と；
一方の前記垂直支持部の前記穴から他方の前記垂直支持部の対応する穴へ延在するロッドを支持する複数の間隔を空けた水平付属品と；
を具えることを特徴とするオーガナイザ。
【請求項２】
請求項１に記載のオーガナイザがさらに、前記垂直支持部に対して前記ロッドを保持するための複数の保持クリップと、前記ロッドのうちの１本から前記付属品を吊すための一対のフックを具える少なくとも１の整理アクセサリとを具えることを特徴とするオーガナイザ。
【請求項３】
請求項２に記載のオーガナイザにおいて、前記ロッドが、前記保持クリップの１つと合う少なくとも１の溝を具えることを特徴とするオーガナイザ。
【請求項４】
請求項１に記載のオーガナイザにおいて、各前記ボルトの前記ねじ山部が、溝穴付上端部を具えることを特徴とするオーガナイザ。
【請求項５】
請求項４に記載のオーガナイザにおいて、各前記溝穴付上端部が、前記カバー部材の対応する穴を通って延在し、前記カバー部材を前記クランプ部材に保持するためナットに結合することを特徴とするオーガナイザ。
【請求項６】
請求項５に記載のオーガナイザにおいて、各前記溝穴付上端部が、前記垂直支持部の１つの水平タブにある細長い穴を通って延在し、前記カバー部材に対して前記垂直支持部を保持するため、前記ナットに結合することを特徴とするオーガナイザ。
【請求項７】
請求項１に記載のオーガナイザにおいて、前記ロッドの長さが約１２インチであることを特徴とするオーガナイザ。
【請求項８】
請求項１に記載のオーガナイザにおいて、前記ロッドの長さが約２４インチであることを特徴とするオーガナイザ。
【請求項９】
請求項８に記載のオーガナイザがさらに、前記ロッドを支持するための複数の穴を有する中央垂直支持部を具えることを特徴とするオーガナイザ。
【請求項１０】
請求項１に記載のオーガナイザにおいて、前記各フックの一部が１のロッドから他のロッドへ延在することを特徴とするオーガナイザ。
【請求項１１】
請求項１に記載のオーガナイザにおいて、前記付属品が、前記垂直支持部の一方から、前記垂直支持部の他方へ延在することを特徴とするオーガナイザ。
【請求項１２】
請求項１に記載のオーガナイザにおいて、前記付属品が、カップの取っ手用の開いた溝穴を具えるカップホルダであることを特徴とするオーガナイザ。
【請求項１３】
延在する机上部を具える机用のオーガナイザにおいて：
細長い基部部材と；
前記細長い基部部材を前記延在する机上部の縁部に取り付けるための少なくとも１の固定具と；
前記基部部材に取り付けられるように構成された一対の垂直支持部と；
前記垂直支持部に取り付けられる複数の間隔を空けたロッドと；
前記垂直支持部の間に延在して係合し、前記ロッドの１つから付属品を吊すための一対のフックを具える第１の整理アクセサリと；
を具えることを特徴とするオーガナイザ。
【請求項１４】
請求項１３に記載のオーガナイザにおいて、各垂直支持部が、複数の穴を具え、前記ロッドが一方の前記垂直支持部の前記穴から他方の前記垂直支持部の前記対応する穴へ延在することを特徴とするオーガナイザ。
【請求項１５】
請求項１４に記載のオーガナイザがさらに、前記垂直支持部に対して前記ロッドを保持するための複数の保持クリップを具えることを特徴とするオーガナイザ。
【請求項１６】
請求項１５に記載のオーガナイザにおいて、前記ロッドが、前記保持クリップの１つと合うための少なくとも１の溝を具えることを特徴とするオーガナイザ。
【請求項１７】
請求項１３に記載のオーガナイザにおいて、前記基部部材が、少なくとも２個の穴を有する上側部と、前記基部部材にある各穴で前記上側部の底側に接合されるナットとを具えることを特徴とするオーガナイザ。
【請求項１８】
請求項１７に記載のオーガナイザにおいて、前記固定具が、ねじ山部と基部を有する一対のボルトを具え、各昇降ボルトの前記ねじ山部が、前記基部部材に接合された前記ナットの１に螺合することを特徴とするオーガナイザ。
【請求項１９】
請求項１８に記載のオーガナイザにおいて、各前記ボルトの前記ねじ山部が、溝穴付上端部を具えることを特徴とするオーガナイザ。
【請求項２０】
請求項１９に記載のオーガナイザにおいて、各前記溝穴付上端部が、前記垂直支持部の１の水平タブにある細長い穴を通って延在し、前記基部部材に対して前記垂直支持部を保持すべく、ナットに螺合することを特徴とするオーガナイザ。
【請求項２１】
請求項１３に記載のオーガナイザにおいて、前記ロッドの長さが約１２インチであることを特徴とするオーガナイザ。
【請求項２２】
請求項１３に記載のオーガナイザにおいて、前記ロッドの長さが約２４インチであることを特徴とするオーガナイザ。
【請求項２３】
請求項２２に記載のオーガナイザがさらに、前記ロッドを支持するための複数の穴を有する中央垂直支持部を具えることを特徴とするオーガナイザ。
【請求項２４】
延在部を具える面用のオーガナイザにおいて：
前記延在部に取り付けられるように構成された一対の垂直支持部と；
前記垂直支持部に取り付けられる複数の間隔を空けたロッドと；
前記垂直支持部の間に延在して係合し、前記ロッドの１つから付属品を吊すための一対のフックを具える少なくとも１の整理アクセサリと；
を具えることを特徴とするオーガナイザ。
【請求項２５】
請求項２４に記載のオーガナイザにおいて、各垂直支持部が、複数の穴を具え、前記ロッドが一方の前記垂直支持部の前記穴から他方の前記垂直支持部の前記対応する穴へ延在することを特徴とするオーガナイザ。
【請求項２６】
請求項２４に記載のオーガナイザがさらに、前記垂直支持部を前記延在部に取り付けるための少なくとも１の基部部材を具えることを特徴とするオーガナイザ。
【請求項２７】
少なくとも２本の間隔を空けて水平で縦に整列したロッドを具えるオーガナイザのための付属品において：
カップの取っ手用の開口を具える円筒体と；
前記円筒体を前記オーガナイザに取り付けるために、前記円筒体に取り付けられて、２本のロッドの間に延在して係合する取り付け具と；
を具えることを特徴とする付属品。
【請求項２８】
請求項１５に記載のオーガナイザが、さらに、一対のロッドの間に延在して係合する一対のフックを具える第２の整理アクセサリを具えることを特徴とするオーガナイザ。
【国際調査報告】
2009513394.tif 000013
2009513394.tif 000014